(57)【要約】【課題】替芯ケース内の芯を、操作部の１回の操作で、簡単に取り出せるようにする。【解決手段】替芯ケース１は、複数の芯を収納したケース１０と、キャップ２０とよって構成されている。キャップ２０は、前キャップ本体と後キャップ本体２２との間に、回転可能に開閉部材２０を挟み込んでいる。開閉部材２３の可動部２３ａから突設された操作部２３ｂを第１位置から第２位置に回転させると、開閉部材２３は、閉位置Ｐ１から開位置Ｐ２に回転する。閉位置Ｐ１においては開閉部材２３の一端部２３が開閉部材収容空間１０ａを閉鎖して、芯Ｓの取り出しを禁止し、開位置Ｐ２においては開閉部材２３の他端部２３ｆ近傍に間隙Ｇが形成され、この間隙を介して、芯Ｓを取り出すことができる。開閉部材２３の開動作及び閉動作は、それぞれ操作部２３ｂの１回の動作で可能である。【選択図】図４
0003145516.tif 000002
【実用新案登録請求の範囲】
【請求項１】
複数本の芯を収納するケースと、前記ケースに対して装着された開閉可能なキャップとによって構成された替芯ケースにおいて、
前記ケースは、
前記複数本の芯をそれぞれの長手方向がほぼ同方向を向くように収納する収納部と、前記収納部における、収納状態の前記芯の長手方向の一端部近傍に開口する開口部と、を備え、
前記キャップは、
前記開口部に装着されたキャップ本体であって、前記開口部近傍から収納状態の前記芯の長手方向の延長方向に延びて外部に連通するほぼ板状の開閉部材収容空間を有する前記キャップ本体と、
前記開閉部材収容空間に配設され、前記キャップ本体によって前記開閉部材収容空間に沿って移動可能に支持されたほぼ板状の可動部と、前記可動部と一体に形成されて前記キャップ本体から突出する操作部とを有する開閉部材と、を備え、
前記開閉部材は、
前記操作部が第１位置に配置されるのに対応して前記可動部が前記開閉部材収容空間を閉鎖して前記芯の取り出しを禁止する閉位置に配置され、
前記操作部が第２位置に配置されるのに対応して前記開閉部材収容空間の少なくとも一部を開放して前記芯の取り出しを許容する開位置に配置される、
ことを特徴とする替芯ケース。
【請求項２】
前記開閉部材は、前記開閉部材収容空間の厚さ方向に向いた回転中心を基準に前記閉位置と前記開位置との間で回転可能である、
ことを特徴とする請求項１に記載の替芯ケース。
【請求項３】
前記開閉部材は、前記閉位置と前記開位置との間で平行移動可能である、
ことを特徴とする請求項１に記載の替芯ケース。
【請求項４】
前記キャップがキャラクタによって形成されていて、前記操作部が前記キャラクタの一部を構成している、
ことを特徴とする請求項１ないし３のいずれか１項に記載の替芯ケース。
【請求項５】
前記操作部が、前記キャラクタの一方の耳部を構成する、
ことを特徴とする請求項４に記載の替芯ケース。
【請求項６】
前記操作部が、前記キャラクタの一方の目部を構成する、
ことを特徴とする請求項４に記載の替芯ケース。
【請求項７】
２つの前記操作部を有し、これら操作部が、前記キャラクタの双方の耳部を構成する、
ことを特徴とする請求項４に記載の替芯ケース。
【請求項８】
２つの前記操作部を有し、これら操作部が、前記キャラクタの双方の目部を構成する、
ことを特徴とする請求項４に記載の替芯ケース。
【請求項９】
前記２つの操作部が、それぞれ個別に移動可能な前記可動部と一体に形成されている、
ことを特徴とする請求項７又は８に記載の替芯ケース。
【請求項１０】
前記キャップ本体は、前記開閉部材の前記可動部の一部が見える窓部を有し、
前記可動部には、前記操作部が前記第１位置に配置されたときに前記窓部を介して見える部分と、前記操作部が前記第２位置に配置されたときに前記窓部を介して見える部分とに、異なる図柄が付されている、
ことを特徴とする請求項４ないし９のいずれか１項に記載の替芯ケース。
【請求項１１】
前記窓部が、前記キャラクタの目部に対応する位置に形成されている、
ことを特徴とする請求項１０に記載の替芯ケース。
【請求項１２】
前記窓部が、前記キャラクタの鼻部に対応する位置に形成されている、
ことを特徴とする請求項１０に記載の替芯ケース。
【請求項１３】
前記窓部が、前記キャラクタの口部に対応する位置に形成されている、
ことを特徴とする請求項１０に記載の替芯ケース。
【考案の詳細な説明】
【技術分野】
【０００１】
本考案は、複数本のシャープペンシルの芯を収納する替芯ケースに関する。
【背景技術】
【０００２】
シャープペンシルの芯は、一般に、複数本（例えば１０本程度）が替芯ケースに収納された状態で、販売されている（例えば、特許文献１参照）。
【０００３】
この特許文献１に係る替芯ケースは、芯を収納する本体と、この本体に取り付けられた蓋固定部材と、この蓋固定部材によって回転可能に支持された蓋体とを備えている。蓋固定部材には、芯が１本のみ通過可能な小芯出口と複数本の通過が可能な大芯出口とが形成されている。一方、蓋体はほぼ円板状に形成されていて、直径と平行な方向の芯通路が穿設されている。蓋体はその一部が円弧状に、蓋固定部材から突出されていて、この円弧状の操作部を指で回転させて、芯通路を小芯出口に一致させると、１本の芯の取り出しが可能となり、また、芯通路を大芯出口に一致させると、複数本の芯の取り出しが可能となる。
【特許文献１】特開２００８−７３８５９号公報
【考案の開示】
【考案が解決しようとする課題】
【０００４】
しかしながら、特許文献１に係る替芯ケースにおいては、芯の取り出し動作が煩雑であるという問題があった。すなわち、円弧状の操作部を指で回転させることで、芯の取り出しが可能となるが、操作部は、特定な部分があるのではなく、蓋固定部材から突出されている部分が操作部となるため、蓋体を少し回転させると蓋固定部材に入り込んでしまい、操作部の１回の回転動作では、蓋体を大きく回転させることができない。このため、操作部を何回か操作して、蓋体を回転させる必要があり、その動作は煩雑である。
【０００５】
そこで、本考案は、操作部の１回の動作で簡単に芯を取り出すことができるようにした替芯ケースを提供することを目的とするものである。
【課題を解決するための手段】
【０００６】
請求項１に係る考案は、複数本の芯を収納するケースと、前記ケースに対して装着された開閉可能なキャップとによって構成された替芯ケースに関する。
この考案に係る替芯ケースにおいて、
前記ケースは、
前記複数本の芯をそれぞれの長手方向がほぼ同方向を向くように収納する収納部と、前記収納部における、収納状態の前記芯の長手方向の一端部近傍に開口する開口部と、を備え、
前記キャップは、
前記開口部に装着されたキャップ本体であって、前記開口部近傍から収納状態の前記芯の長手方向の延長方向に延びて外部に連通するほぼ板状の開閉部材収容空間を有する前記キャップ本体と、
前記開閉部材収容空間に配設され、前記キャップ本体によって前記開閉部材収容空間に沿って移動可能に支持されたほぼ板状の可動部と、前記可動部と一体に形成されて前記キャップ本体から突出する操作部とを有する開閉部材と、を備え、
前記開閉部材は、
前記操作部が第１位置に配置されるのに対応して前記可動部が前記開閉部材収容空間を閉鎖して前記芯の取り出しを禁止する閉位置に配置され、
前記操作部が第２位置に配置されるのに対応して前記開閉部材収容空間の少なくとも一部を開放して前記芯の取り出しを許容する開位置に配置される、
ことを特徴としている。
【０００７】
請求項２に係る考案は、請求項１に係る替芯ケースにおいて、前記開閉部材は、前記開閉部材収容空間の厚さ方向に向いた回転中心を基準に前記閉位置と前記開位置との間で回転可能である、ことを特徴としている。
【０００８】
請求項３に係る考案は、請求項１に係る替芯ケースにおいて、前記開閉部材は、前記閉位置と前記開位置との間で平行移動可能である、ことを特徴としている。
【０００９】
請求項４に係る考案は、請求項１ないし３のいずれか１項に係る替芯ケースにおいて、前記キャップがキャラクタによって形成されていて、前記操作部が前記キャラクタの一部を構成している、ことを特徴としている。
【００１０】
請求項５に係る考案は、請求項４に係る替芯ケースにおいて、前記操作部が、前記キャラクタの一方の耳部を構成する、ことを特徴としている。
【００１１】
請求項６に係る考案は、請求項４に係る替芯ケースにおいて、前記操作部が、前記キャラクタの一方の目部を構成する、ことを特徴としている。
【００１２】
請求項７に係る考案は、請求項４に係る替芯ケースにおいて、２つの前記操作部を有し、これら操作部が、前記キャラクタの双方の耳部を構成する、ことを特徴としている。
【００１３】
請求項８に係る考案は、請求項４に係る替芯ケースにおいて、２つの前記操作部を有し、これら操作部が、前記キャラクタの双方の目部を構成する、ことを特徴としている。
【００１４】
請求項９に係る考案は、請求項７又は８に記載の替芯ケースにおいて、前記２つの操作部が、それぞれ個別に移動可能な前記可動部と一体に形成されている、ことを特徴としている。
【００１５】
請求項１０に係る考案は、請求項４ないし９のいずれか１項に記載の替芯ケースにおいて、前記キャップ本体は、前記開閉部材の前記可動部の一部が見える窓部を有し、前記可動部には、前記操作部が前記第１位置に配置されたときに前記窓部を介して見える部分と、前記操作部が前記第２位置に配置されたときに前記窓部を介して見える部分とに、異なる図柄が付されている、ことを特徴としている。
【００１６】
請求項１１に係る考案は、請求項１０に係る替芯ケースにおいて、前記窓部が、前記キャラクタの目部に対応する位置に形成されている、ことを特徴としている。
【００１７】
請求項１２に係る考案は、請求項１０に係る替芯ケースにおいて、前記窓部が、前記キャラクタの鼻部に対応する位置に形成されている、ことを特徴としている。
【００１８】
請求項１３に係る考案は、請求項１０に係る替芯ケースにおいて、前記窓部が、前記キャラクタの口部に対応する位置に形成されている、ことを特徴としている。
【考案の効果】
【００１９】
請求項１の考案によると、操作部はキャップ本体から常時、突出されていて、キャップ本体に入り込むことがないので、操作部の１回の操作で、開閉部材を、芯の取り出しを禁止する閉位置から、芯の取り出しを可能にする開位置へ、また、この逆に操作部の１回の操作で開位置から閉位置に移動させることができる。すなわち、操作部の１回の操作で、芯の取り出しを可能とし、また、操作部の１回の操作で芯の取り出しを禁止することができる。
【００２０】
請求項２の考案によると、操作部の回転動作によって開閉部材を開閉して芯の取り出しを可能とし、また禁止することができる。
【００２１】
請求項３の考案によると、操作部の平行移動によって開閉部材を開閉して芯の取り出しを可能とし、また禁止することができる。
【００２２】
請求項４の考案によると、キャップがキャラクタによって形成されていて、さらに、操作部がキャラクタの一部を構成しているので、このキャラクタの一部である操作部を第１位置から第２位置に移動させることで開閉部材を開位置に配置して芯の取り出しを可能とし、キャラクタの一部である操作部を第２位置から第１位置に移動させることで開閉部材を閉位置に配置して芯の取り出しを禁止することができる。つまり、キャラクタの一部を操作部とすることで、キャラクタの一部を操作することで、芯の取り出しを許容し、また禁止することができるので、キャラクタの形態（表情）が変化する興趣のある構成とすることができる。
【００２３】
請求項５の考案によると、操作部となっているキャラクタの一方の耳部を操作することで、開閉部材を開閉することができる。
【００２４】
請求項６の考案によると、操作部となっているキャラクタの一方の目部を操作することで、開閉部材を開閉することができる。
【００２５】
請求項７の考案によると、操作部となっているキャラクタの双方の耳部のうちの一方の耳部を操作することで、開閉部材を開閉することができる。
【００２６】
請求項８の考案によると、操作部となっているキャラクタの双方の目部のうちの一方の目部を操作することで、開閉部材を開閉することができる。
【００２７】
請求項９の考案によると、２つの操作部をそれぞれ個別に操作することで、それぞれの開閉部材を開閉することができる。
【００２８】
請求項１０の考案によると、操作部が第１位置に配置されたときと第２位置に配置されたときとで、窓部から見える図柄が異なる。すなわち、キャラクタの一部である操作部の動きに連動して窓部から見える図柄が変化するので、興趣のある構成とすることができる。
【００２９】
請求項１１の考案によると、窓部が目部に対応する位置に形成されているので、操作部が第１位置に配置されたときと第２位置に配置されたときとで、キャラクタの目の表情が変化する。
【００３０】
請求項１２の考案によると、窓部が鼻部に対応する位置に形成されているので、操作部が第１位置に配置されたときと第２位置に配置されたときとで、キャラクタの鼻の表情が変化する。
【００３１】
請求項１３の考案によると、窓部が口部に対応する位置に形成されているので、操作部が第１位置に配置されたときと第２位置に配置されたときとで、キャラクタの口の表情が変化する。
【考案を実施するための最良の形態】
【００３２】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００３３】
図１〜図６を参照して、実施形態１に係る替芯ケース１について説明する。このうち、図１はケース１０からキャップ２０を取り外した状態を示す斜視図である。図２は、前側（表側，正面側）から見たキャップ２０の分解斜視図である。図３は、後側（裏側，背面側）から見たキャップ２０の分解斜視図である。図４は、前側から見た、芯Ｓの取り出しを説明する図であり、（ａ）は開閉部材２３が閉位置Ｐ１に配置された状態を示し、（ｂ）は、開閉部材２３が開位置Ｐ２に配置された状態を示している。図５は、後側から見た、芯Ｓの取り出しを説明する図であり、（ａ）は開閉部材２３が閉位置Ｐ１に配置された状態を示し、（ｂ）は、開閉部材２３が開位置Ｐ２に配置された状態を示している。なお、図４，図５では、開閉部材２３を点線で図示している。図６（ａ）〜（ｅ）は、キャップ２０を構成するキャラクタの各種バリエーションを示す図である。
【００３４】
図１に示すように、本実施形態に係る替芯ケース１は、ケース１０と、このケース１０の一方の端部（上端部）に嵌合されたキャップ２０とを備えている。
【００３５】
ケース１０は、薄くて長い、ほぼ直方体状に形成されている。すなわち、ケース１０は、左右の幅Ｗに対して厚さＴが薄く、また、幅Ｗに対して長さＬが長く形成されている。ケース１０は、図４（ａ），（ｂ）に示すように、ケース本体１１とその上端に設けられた段部１２とが一体となって構成されている。段部１２は、幅及び厚さがケース本体１１のそれらよりも小さく設定されていて、キャップ２０が嵌合されている。ケース１０の内側には、複数の芯Ｓ（例えば、１０本）が収納される収納部（収納空間）１０ａが形成されている。収納部１０ａは、上下の長さが、芯Ｓの長さよりも少し長く設定されている。収納部１０ａは、上端に開口部１０ｂを有しており、他の部分は開口されていない。ケース１０は、例えば、透明の合成樹脂によって形成されていて、収納部１０ａに収納されている芯Ｓを外部から確認することができるようになっている。
【００３６】
キャップ２０は、図２，図３に示すように、ほぼ板状の前キャップ本体２１と、同じくほぼ板状の後キャップ本体２２とによって構成されたキャップ本体と、ほぼ半円形で板状の開閉部材２３とを備えており、キャップ２０全体として、図１に示すように、パンダのキャラクタによって構成されている。ただし、図２〜図５では、パンダの図柄は省略している。
【００３７】
キャップ本体は、下半部がほぼ長方形の板状に形成され、上半部がほぼ円板状に形成されていて、下半部には、上述のケース１０の段部１２に嵌合される嵌合部２１ａ，２２ａが形成されている。また、上半部には、後述する開閉部材２３が配置される板状の開閉部材収容空間２０ａが形成されている。図３に示すように、前キャップ本体２１の上半部における後面には、上端近傍に円弧状のガイド凸部２１ｂが形成され、また、上下方向に芯ガイド２１ｃが形成されている。また、斜め右方には、キャラクタ（パンダ）の耳に相当する右耳部２０ｂが突設されている。一方、図２に示すように、後キャップ本体２２の上半部における前面には、円弧状の比較的短いガイド凸部２２ｂが形成され、また、上述の芯ガイド２１ｃに対応する芯ガイド２２ｃが形成されている。
【００３８】
開閉部材２３は、ほぼ半円形の板状に形成されている。図２，図３に示すように、開閉部材２３は、大きな半円形の可動部２３ａと、この可動部２３ａにおける円弧部のほぼ中央に突設された小さな半円形の操作部２３ｂとを有している。この操作部２３ｂは、上述の右耳部２０ｂと対をなす、キャラクタ（パンダ）の左耳部（耳部）２３ｂとなっている。図２に示すように、開閉部材２３の前面側には、上述の前キャップ本体２１側のガイド凸部２１ｂ（図３参照）に係合されるガイド凹部２３ｃが形成されている。一方、図３に示すように、開閉部材２３の後面側には、上述の後キャップ本体２２のガイド凸部２２ｂ（図２参照）に係合されるガイド凹部２３ｄが形成されている。開閉部材２３は、上述のようにガイド凹部２３ｃがガイド凸部２１ｂに係合され、また、ガイド凹部２３ｄがガイド凸部２２ｂに係合されることにより、前後方向（開閉部材収容空間２０ａの厚さ方向）の回転中心Ｃを基準として、図４（ａ）及び図５（ａ）に示す閉位置Ｐ１と図４（ｂ）及び図５（ｂ）に示す開位置Ｐ２との間で回転運動することができるようになっている。なお、図４，図５においては、開閉部材２３は点線で図示している。
【００３９】
図４（ａ）に示すように、操作部（左耳部）２３ｂは、開閉部材２３の一端部２３ｅが右耳部２０ｂの基端部に当接されることで、第１位置に位置決めされる。これにより、開閉部材２３は、閉位置Ｐ１に位置決めされて、一端部２３ｅが開閉部材収容空間２０ａの上端を閉鎖する。したがって、ケース１０の収納部１０ａに収納されている芯Ｓを取り出すことはできない。この状態から、操作部（左耳部）２３ｂを図４（ｂ）中の矢印方向へ回転させて、キャップ本体２０の一部２２ｄに当接させ、第２位置に位置決めする。これにより、開閉部材２３は、開位置Ｐ２に位置決めされて、開閉部材収容空間２０ａの一部が開放される。すなわち、芯ガイド２２ｃと開閉部材２３の他端部２３ｆとの間に間隙Ｇが形成されて、ここから芯Ｓの取り出しが可能となる。
【００４０】
本実施形態によると、開閉部材２３を開閉させるときに操作する操作部（左耳部）２３ｂが、常時、キャップ本体から突出されているので、指で操作部２３を１回、操作して第１位置から第２位置に回転させることで、開閉部材２３を大きな角度で回転させることができ、これにより、開閉部材２３を閉位置Ｐ１から開位置Ｐ２に移動させて簡単に芯Ｓを取り出すことが可能となる。また、この逆に、指で操作部２３を１回、操作して第２位置から第１位置に回転させることで、開閉部材２３を大きな角度で回転させることができ、これにより、開閉部材２３を開位置Ｐ２から閉位置Ｐ１に回転させて芯Ｓの取り出しを禁止することができる。
【００４１】
また、操作部２３ｂを操作することにより、キャラクタの顔の作り（表情）が変化するので、替芯ケース１を興趣あるものとすることができる。
【００４２】
図６（ａ）〜（ｅ）に、キャップ２０を構成するキャラクタの例を示す。このうち（ａ）はパンダ、（ｂ）はクマ、（ｃ）はカエル、（ｄ）はトラ、（ｅ）はブタである。また、いずれも１番上は、操作部（左耳部）２３ｂを第１位置に配置して、開閉部材２３を閉位置Ｐ１（図４参照）に配置した状態を前側から見た図であり、上から３番目は同じ状態を後側から見た図である。上から２番目は、操作部（左耳部）２３ｂを第２位置に配置して、開閉部材２３を開位置Ｐ２に配置した状態を前側から見た図であり、上から４番目は同じ状態を後側から見た図である。（ａ）〜（ｅ）のキャラクタのうち、（ｃ）のカエルは、左目部（目部）が操作部２３ｂとなっており、これ以外の４つは、左耳部（耳部）が操作部２３ｂとなっている。
【００４３】
さらに、これらのキャラクタにおいて、前キャップ本体２１の一部に、前後に貫通された窓部Ａを設けて、この窓部Ａを介して、開閉部材２３の一部が見えるようにしている。（ａ）のパンダでは、左目部（目部）に対応する位置に窓部Ａを設け、（ｂ）のクマでは、左目部（目部）及び口部に対応する位置に窓部Ａを設け、（ｃ）のカエルでは、左鼻部（鼻部）に対応する位置に窓部Ａを設け、（ｄ）のトラでは、左目部（目部）に対応する位置に窓部Ａを設け、（ｅ）のブタでは、左鼻部（鼻部）に対応する位置に窓部Ａを設けている。そして、操作部２３ｂが第１位置に配置されて開閉部材２３が閉位置Ｐ１に配置されたときと、操作部２３ｂが第２位置に配置されて開閉部材２３が開位置Ｐ２に配置されたときとで、窓部Ａから見える図柄が異なるようにしている。つまり、開閉部材２３には、閉位置Ｐ１に配置されたときに窓部Ａから見える位置と、開位置Ｐ２に配置されたときに窓部Ａから見える位置とに異なる図柄を付してある。（ａ）のパンダと（ｄ）のトラでは、左目部の表情（図柄）が変化し、（ｂ）のクマでは、左目部及び口部の表情（図柄）が変化し（口部では舌を出している）、（ｃ）のカエルと（ｅ）のブタでは、左鼻部の表情（図柄）が変化している。このように、操作部２３ｂの操作に伴って、表情（図柄）が変化するようにすることで、興趣あふれる替芯ケース１を構成することが可能となる。なお、窓部Ａは、上述の箇所に限らず任意の位置に設けることが可能である。例えば、（ａ），（ｂ），（ｅ）のキャラクタにおいて、後キャップ本体２２のしっぽ部に対応する位置に窓部を設け、操作部２３ｂの操作によってしっぽの表情（図柄）が変化するようにしてもよい。
＜実施形態２＞
【００４４】
図７〜図１０に実施形態２の替芯ケースのキャップ３０を示す。このうち図７は、前側から見たキャップ３０の分解斜視図である。図８は、後側から見たキャップ３０の分解斜視図である。図９は、左側方から見たキャップ３０の分解斜視図である。図１０（ａ）は、開閉部材３３が閉位置Ｐ１に配置された状態を前側から見て説明する図であり、図１０（ｂ）は、開閉部材３３が開位置Ｐ２に配置された状態を前側から見て説明する図である。
【００４５】
これらの図に示すように、キャップ３０は、前キャップ本体３１と後キャップ本体３２との間に形成される板状の開閉部材収容空間３０ａに、ほぼ半円形の開閉部材３３が回転可能に配設されている。なお、芯Ｓを収納するケース１０については、上述の実施形態１のケース１０と同様であるので説明は省略する。
【００４６】
前キャップ本体３１の後面側及び後キャップ本体３２における下半部には、ケース１０の段部１２が嵌合される嵌合部３１ａ，３２ａが形成されており、また、上半部には、上下方向に芯ガイド３１ｃ，３２ｃが形成されている。
【００４７】
開閉部材３３は、大きな半円形の板状の可動部３３ａと、小さな半円形の板状の操作部３３ｂとが一体に形成されている。開閉部材３３は、その前面側にガイド凹部３３ｃが形成されていて、このガイド凹部３３ｃが、前キャップ本体３１の後面側に形成された円弧状のガイド凸部３１ｂに係合されることにより、閉位置Ｐ１と開位置Ｐ２との間を回転することができるようになっている。また、開閉部材３３は、閉位置Ｐ１に配置された際に、開閉部材収容空間３０ａを閉鎖する一端部（上端部）と、開位置Ｐ２に配置されたときに、芯Ｓの通過を許容する切欠き部（下端部）３３ｆとを有している。切欠部３３ｆは、には、下端（他方の端部）における厚さ方向の後面側には、三角形状の切欠３３ｆが形成されている。この切欠３３ｆは、芯Ｓの通過が可能な大きさに形成されている。切欠部３３ｆは、開閉部材３３の後面側で、かつ下端側の一部を三角形状に切り欠いて形成したものである。開閉部材３３は、操作部３３ｂが図１０（ａ）に示す第１位置から、図１０（ｂ）に示す第２位置に配置されるのに伴って、閉位置Ｐ１から開位置Ｐ２に回転されると、切欠部３３ｆがケース１０の収納部１０ａと開閉部材収容空間３０ａ、さらには外部とを連通させて、収納部１０ａに収納されている芯Ｓの通過（取り出し）を可能にする。一方、開閉部材３３は、操作部３３ｂが図１０（ｂ）に示す第２位置から図１０（ａ）に示す第１位置に回転するのに伴って、開位置Ｐ２から閉位置Ｐ１に回転されると、一端部３３ｅが開閉部材収容空間３０ａを閉鎖して、芯Ｓの取り出しを禁止する。
【００４８】
本実施形態においては、操作部３３ｂの１回の回転動作（開動作）で開閉部材３３を閉位置Ｐ１から開位置Ｐ２に配置して芯Ｓの取り出しを可能にし、逆に、操作部３３ｂの１回の回転動作（閉動作）で開閉部材３３を開位置Ｐ２から閉位置Ｐ１に配置して芯Ｓの取り出しを禁止することができる。また、本実施形態においても、上述の実施形態１と同様、キャップ３０をキャラクタで構成することにより、興趣あふれるキャップ３０とすることができる。
＜実施形態３＞
【００４９】
図１１〜図１４に実施形態３の替芯ケースのキャップ４０を示す。このうち図１１は、前側から見たキャップ４０の分解斜視図である。図１２は、後側から見たキャップ３０の分解斜視図である。図１３は、左側方から見たキャップ４０の分解斜視図である。図１４（ａ）は、開閉部材４３が閉位置Ｐ１に配置された状態を前側から見て説明する図であり、図１４（ｂ）は、開閉部材４３が開位置Ｐ２に配置された状態を前側から見て説明する図である。
【００５０】
これらの図に示すように、キャップ４０は、前キャップ本体４１と後キャップ本体４２との間に形成される円板状の開閉部材収容空間４０ａに、ほぼ円板状の開閉部材４３が回転可能に配設されている。なお、芯Ｓを収納するケース１０については、上述の実施形態１のケース１０と同様であるので説明は省略する。
【００５１】
前キャップ本体４１は、後面側における下半部に、長方形の板状の嵌合凹部４１ｂを有し、上半部には円板状の係合凹部４１ａを有している。また、嵌合凹部４１ｂの上端における右側には、水平断面形状がほぼ半円形の縦溝４１ｃが形成されている。また、係合凹部４１ａの中心には、後方に向けて前ピン４１ｄが突設されている。一方、後キャップ本体４２には、その前面側に、上述の前キャップ本体４１の嵌合凹部４１ｂ、係合凹部４１ａ、縦溝４１ｃに対応する位置にこれらとほぼ同形の嵌合凹部４２ｂ、係合凹部４２ａ、縦溝４２ｃが形成されている。また、係合凹部４２ａの中心には、前方に向けて後ピン４２ｄが突設されている。
【００５２】
前キャップ本体４１の後面と後キャップ本体４２の前面とが合わされることで、嵌合凹部４１ｂ，４２ｂにより嵌合部４０ｂが形成され、係合凹部４１ａ，４２ａにより開閉部材収容空間４０ａが形成され、縦溝４１ｃ，４２ｃにより、上下方向を向いた透孔４０ｃが形成される。また、前ピン４１ｄが後ピン４２ｄの内側に係合される。嵌合部４０ｂは、ケース１０（図４（ａ）参照）の段部１２に嵌合される。開閉部材収納空間４０ａには、後述する開閉部材４３が回転自在に配設される。透孔４０ｃは、収納部１０ａ内の芯Ｓを外部に取り出す際に、芯Ｓが通過する孔である。この前キャップ本体４１の後面と、後キャップ本体４２の前面とが合わさった状態においては、前キャップ本体４１の係合凹部４１ａを形成する周縁部の後方を向いた環状の端面４１ｅと、後キャップ本体４２の係合凹部４２ａを形成する周縁部の前方を向いた環状の端面４２ｅとの間には間隙が形成され、これら２つの端面４１ｅ，４２ｅによって、次に説明する開閉部材４３の大径部４３ｄを挟み込むようになっている。また、透孔４０ｃの上端の開口部は、大径部の周面に対向するようになっている。
【００５３】
開閉部材４３は、その全体がほぼ円板状に形成されている。開閉部材は、円板状の大径部４３ｄとこの大径部４３ｄの前面及び後面にそれぞれ突設された円板状の小径部４３ｅ，４３ｆとによって可動部を構成している。また、大径部４３ｄの周縁部から左斜め上方及び右斜め上方に向けて突設された半円状の操作部（耳部）４３ａ，４３ｂとを有している。大径部４３ｄ，小径部４３ｅ，４３ｆの中心には、これらを表裏方向に貫通する透孔４３ｇが穿設されている。また、大径部４３ｄには、周縁部の異なる位置にそれぞれ開口する２つの開口部４３ｃ１，４３ｃ２を直線上に結ぶ透孔４３ｃが穿設されている。この透孔４３ｃは、大径部４３ｄの直径からは少しずれた位置に設定されている。つまり、上述の透孔４３ｇを外した位置に配置されている。
【００５４】
開閉部材４３は、透孔４３ｇに後キャップ本体４２の後ピン４２ｄが挿通され、前側の小径部４３ｅが前キャップ本体４１の係合凹部４１ａに係合され、後側の小径部４３ｆが後キャップ本体４２の係合凹部４２ａに係合され、大径部４３ｄが端面４１ｅ，４２ｅに挟み込まれている。これにより、開閉部材４３は、後ピン４２ｄを中心として回転することができるようになっている。
【００５５】
図１４（ａ）に示すように、開閉部材４３は、２つの操作部４３ａ，４３ｂが同じ高さに揃った状態の第１位置に配置された状態において、閉位置Ｐ１に配置される。この閉位置Ｐ１においては、透孔４３ｃが傾斜していて透孔４３ｃの開口部４３ｃ１，４３ｃ２のいずれもが透孔４０ｃとは一致していない。したがって、透孔４０ｃの上端の開口部は、大径部４３ｄの外周面によって閉鎖される。このため、収納部１０ａから芯Ｓを取り出すことはできない。これに対して、図１４（ｂ）に示すように、操作部４３ａ，４３ｂのいずれかを操作して、第１位置から第２位置に回転させる。これにより、開閉部材４３は、同方向に回転し、キャップ本体の一部に当接して停止され、閉位置Ｐ２に配置される。この状態において、透孔４０ｃの上端の開口部に、開閉部材４３側の透孔４３ｃの一方の開口部４３ｃ１が一致する。さらに、透孔４０と透孔４３ｃとが上下方向を向いた直線上に配置される。これにより、ケース１０の収納部１０ａ内の芯Ｓを、透孔４０ｃ，透孔４３ｃを介して外部に取り出すことが可能となる。
【００５６】
本実施形態においても、操作部４３ａ又は操作部４３ｂの１回の回転動作（開動作）で、これらを第１位置から第２位置に移動させることができ、これにより、開閉部材４３を閉位置Ｐ１から開位置Ｐ２に移動させて、芯Ｓの取り出しを可能とする。一方、操作部４３ａ又は操作部４３ｂの１回の回転動作（閉動作）で、第２位置から第１位置に移動させることができ、これにより、開閉部材４３を閉位置Ｐ２から開位置Ｐ２に移動させて、芯Ｓの取り出しを禁止することができる。
【００５７】
さらに、本実施形態においては、操作部４３ａ，４３ｂが２つあるので、いずれの操作部４３ａ，４３ｂを操作することも可能であり、１つの場合よりも操作性を向上させることができる。さらに、これら操作部４３ａ，４３ｂがキャラクタの一部（例えば、耳部や目部）を構成している場合には、２つの耳部や目部が同時に移動するので、キャラクタの表情が大きく変化することになる。
＜実施形態４＞
【００５８】
図１５〜図１８に実施形態４の替芯ケースのキャップ５０を示す。このうち図１５は、前側から見たキャップ５０の分解斜視図である。図１６は、後側から見たキャップ５０の分解斜視図である。図１７は、左側方から見たキャップ５０の分解斜視図である。図１８（ａ）は、開閉部材５３，５４が閉位置Ｐ１に配置された状態を前側から見て説明する図であり、図１５（ｂ）は、開閉部材５３，５４が開位置Ｐ２に配置された状態を前側から見て説明する図である。
【００５９】
これらの図に示すように、キャップ５０は、前キャップ本体５１と後キャップ本体５２との間に形成される円板状の開閉部材収容空間５０ａに、ほぼ円板状の２枚の開閉部材５３，５４が回転可能に配設されている。なお、芯Ｓを収納するケース１０については、上述の実施形態１のケース１０と同様であるので説明は省略する。
【００６０】
前キャップ本体５１は、後面側における下半部に、長方形の板状の嵌合凹部５１ｂを有し、上半部には円板状の係合凹部５１ａを有している。また、嵌合凹部５１ｂの上端における右側には、水平断面形状がほぼ半円形の縦溝５１ｃが形成されている。また、係合凹部５１ａの中心には、後方に向けて前ピン５１ｄが突設されている。一方、後キャップ本体４２には、その前面側に、上述の前キャップ本体５１の嵌合凹部５１ｂ、係合凹部５１ａ、縦溝５１ｃに対応する位置にこれらとほぼ同形の嵌合凹部５２ｂ、係合凹部５２ａ、縦溝５２ｃが形成されている。また、係合凹部４２ａの中心には、前方に向けて後ピン５２ｄが突設されている。
【００６１】
前キャップ本体５１の後面と後キャップ本体５２の前面とが合わされることで、嵌合凹部５１ｂ，５２ｂにより嵌合部５０ｂが形成され、係合凹部５１ａ，５２ａにより開閉部材収容空間５０ａが形成され、縦溝５１ｃ，５２ｃにより、上下方向を向いた透孔５０ｃが形成される。また、前ピン５１ｄが後ピン５２ｄの内側に係合される。嵌合部５０ｂは、ケース１０（図４（ａ）参照）の段部１２に嵌合される。開閉部材収納空間５０ａには、後述する開閉部材５３，５４が回転自在に配設される。透孔５０ｃは、収納部１０ａ内の芯Ｓを外部に取り出す際に、芯Ｓが通過する孔である。この前キャップ本体５１の後面と、後キャップ本体５２の前面とが合わさった状態においては、前キャップ本体５１の係合凹部５１ａを形成する周縁部の後方を向いた環状の端面５１ｅと、後キャップ本体５２の係合凹部５２ａを形成する周縁部の前方を向いた環状の端面５２ｅとの間には間隙が形成され、これら２つの端面５１ｅ，５２ｅによって、次に説明する開閉部材５３，５４の大径部５３ｄ，５４ｄを挟み込むようになっている。また、透孔５０ｃの上端の開口部は、大径部の周面に対向するようになっている。
【００６２】
前側の開閉部材５３は、その全体がほぼ円板状に形成されている。開閉部材は、円板状の大径部５３ｄとこの大径部５３ｄの前面に突設された円板状の小径部５３ｅと、大径部５３ｄの周縁部から左斜め下方に向けて突設された半円状の操作部（耳部）５３ａとを有している。大径部５３ｄ，小径部５３ｅの中心には、これらを表裏方向に貫通する透孔５３ｇが穿設されている。また、大径部５３ｄには、周縁部の異なる位置にそれぞれ開口する２つの開口部を直線上に結ぶ断面形状半円形の溝５３ｃが穿設されている。この溝５３ｃは、大径部５３ｄの直径からは少しずれた位置に設定されている。つまり、上述の透孔５３ｇを外した位置に配置されている。
【００６３】
後側の開閉部材５４は、その全体がほぼ円板状に形成されている。開閉部材は、円板状の大径部５４ｄとこの大径部５３ｄの後面に突設された円板状の小径部５４ｅと、大径部５４ｄの周縁部から右斜め下方に向けて突設された半円状の操作部（耳部）５４ａとを有している。大径部５４ｄ，小径部５４ｅの中心には、これらを表裏方向に貫通する透孔５４ｇが穿設されている。また、大径部５４ｄには、周縁部の異なる位置にそれぞれ開口する２つの開口部を直線上に結ぶ断面形状半円形の溝５４ｃが穿設されている。この溝５４ｃは、大径部５４ｄの直径からは少しずれた位置に設定されている。つまり、上述の透孔５４ｇを外した位置に配置されている。
【００６４】
開閉部材５３，５４は、透孔５３ｇ，５４ｇに後キャップ本体５２の後ピン５２ｄが挿通され、前側の小径部５３ｅが前キャップ本体５１の係合凹部５１ａに係合され、後側の小径部５４ｅが後キャップ本体５２の係合凹部５２ａに係合され、大径部５３ｄ，５４ｄが端面５１ｅ，５２ｅに挟み込まれている。これにより、開閉部材５３，５４は、後ピン５２ｄを中心として回転することができるようになっている。
【００６５】
図１８（ａ）に示すように、開閉部材５３，５４は、それぞれの操作部５３ａ，５４ａが斜め下方の同じ高さに揃った状態の第１位置に配置された状態において、閉位置Ｐ１に配置される。この閉位置Ｐ１においては、溝５３ｂ，５４ｂが傾斜していてこれらの開口部のいずれもが透孔５０ｃとは一致していない。したがって、透孔５０ｃの上端の開口部は、大径部５３ｄ，５４ｄの外周面によって閉鎖される。このため、収納部１０ａから芯Ｓを取り出すことはできない。これに対して、図１８（ｂ）に示すように、操作部５３ａ，５４ａの双方を操作して、それぞれ異なる第１位置から共通の第２位置に回転させる。これにより、開閉部材４３は回転し、キャップ本体の一部に当接して停止され、閉位置Ｐ２に配置される。この状態において、透孔５０ｃの上端の開口部に、開閉部材５３，５４側の溝５３ｂ，５４ｂが一致する。ここで、２つの溝５３ｂ，５４ｂが一致すると透孔となる。さらに、これら溝５３ｂ，５４ｂと透孔４３ｃとが上下方向を向いた直線上に配置される。これにより、ケース１０の収納部１０ａ内の芯Ｓを、透孔５０ｃ，溝５３ｄ，５４ｄを介して外部に取り出すことが可能となる。
【００６６】
本実施形態においても、操作部５３ａ及び操作部５４ａの１回の回転動作（開動作）で、これらを第１位置から第２位置に移動させることができ、これにより、開閉部材４３を閉位置Ｐ１から開位置Ｐ２に移動させて、芯Ｓの取り出しを可能とする。一方、操作部５３ａ及び操作部５４ｂの１回の回転動作（閉動作）で、第２位置から第１位置に移動させることができ、これにより、開閉部材５３，５４を閉位置Ｐ２から開位置Ｐ２に移動させて、芯Ｓの取り出しを禁止することができる。
【００６７】
さらに、本実施形態においては、操作部５３ａ，５４ａが２つあるので、これら操作部５３ａ，５４ａがキャラクタの一部（例えば、両耳部や両目部）を構成している場合には、２つの耳部や目部がそれぞれ個別に移動するので、キャラクタの表情が大きく変化することになる。
＜実施形態５＞
【００６８】
図１９〜図２２に実施形態５の替芯ケースのキャップ７０を示す。このうち図１９は、前側から見たキャップ７０の分解斜視図である。図２０は、後側から見たキャップ７０の分解斜視図である。図２１は、左側方から見たキャップ７０の分解斜視図である。図２２（ａ）は、開閉部材７３が閉位置Ｐ１に配置された状態を前側から見て説明する図であり、図２２（ｂ）は、開閉部材７３が開位置Ｐ２に配置された状態を前側から見て説明する図である。
【００６９】
これらの図に示すように、キャップ７０は、前キャップ本体７１と後キャップ本体７２との間に形成される円板状の開閉部材収容空間７０ａに、ほぼ円板状の開閉部材４３が平行移動可能に配設されている。なお、芯Ｓを収納するケース１０については、上述の実施形態１のケース１０と同様であるので説明は省略する。
【００７０】
前キャップ本体７１は、後面側における下半部に、長方形の板状の嵌合凹部７１ｂを有し、嵌合凹部７１ｂの上方には、上方に向けて開口するガイド溝７１ｃを有し、上半部には後方に向けて前ピン７１ａが突設されている。一方、後キャップ本体７２には、その前面側に、上述の前キャップ本体７１の嵌合凹部７１ｂ，ガイド溝７１ｃに対応する位置にこれらとほぼ同形の嵌合凹部７２ｂ，ガイド溝７２ｃが形成されている。また、上半部の前面における、上述の前ピン７１ａに対応する位置には、前方に向けて後ピン７２ａが突設されている。
【００７１】
前キャップ本体７１の後面と後キャップ本体７２の前面とが合わされることで、嵌合凹部７１ｂ，７２ｂにより嵌合部７０ｂが形成され、ガイド溝７１ｃ，７２ｃにより、水平ガイド７０ｃが形成され、前キャップ本体７１の上半部の後面と後キャップ本体７２の上半部の前面との間に開閉部材収容空間７０ａが形成される。さらに、後キャップ本体７２におけるガイド溝７２ｃの右側には、嵌合部７０ｂと開閉部材収容空間７０ａとを連通する上下方向の溝７２ｄが形成されている。
【００７２】
開閉部材７３は、ほぼ円板状の可動部７３ｆと、この可動部７３ｆの左斜め上方及び右斜め上方に向けて突設された半円形の２つの操作部７３ｂ，７３ｃとを有している。また、可動部７３ｆの下端縁における左右方向のほぼ中央には、上述のガイド溝７０ｃに係合される突起７３ｄが突設されている。可動部７３ｆの上部には、左右方向に長い、窓部が可動部７３ｆの表裏方向に貫通するように形成されている。この窓部７３ｃには、後キャップ本体７２ａの後ピン７２ａが係合されている。また、可動部７３ｆの後面側における窓部７３の右側には、上下方向の溝７３ｅが形成されている。開閉部材７３は、開閉部材収容空間７０ａに配設され、窓部７３を貫通する後ピン７２ａ及びガイド溝７０ｃにガイドされて、左右方向に平行移動可能に配設されている。
【００７３】
図２２（ａ）に示すように、開閉部材７３は、操作部７３ａ，７３ｂが第１位置に配置されるのに伴って、閉位置Ｐ１に配置される。このとき、後キャップ本体７２側の溝７２ｄと、開閉部材７３側の溝７３ｅとが一致しないので、収納部１０ａ内の芯Ｓを取り出すことはできない。一方、操作部７３ａ，７３ｂを第１位置から図２２（ｂ）に示す第２位置に平行移動させると、開閉部材７３全体が閉位置Ｐ１から開位置Ｐ２に平行移動する。これにより、溝７２ｄに溝７３ｅが一致し、これらを介して、収納部１０ａ内の芯Ｓを外部に取り出すことが可能となる。
【００７４】
本実施形態においても、操作部７３ａ，７３ｂの１回のスライド動作で、開閉部材７３を開閉することができる。
【図面の簡単な説明】
【００７５】
【図１】図１〜図６は、実施形態１を説明する図であり、図１はケース１０からキャップ２０を取り外した状態を示す斜視図である。
【図２】前側（表側，正面側）から見たキャップ２０の分解斜視図である。
【図３】後側（裏側，背面側）から見たキャップ２０の分解斜視図である。
【図４】前側から見た、芯Ｓの取り出しを説明する図であり、（ａ）は開閉部材２３が閉位置Ｐ１に配置された状態を示し、（ｂ）は、開閉部材２３が開位置Ｐ２に配置された状態を示している。
【図５】後側から見た、芯Ｓの取り出しを説明する図であり、（ａ）は開閉部材２３が閉位置Ｐ１に配置された状態を示し、（ｂ）は、開閉部材２３が開位置Ｐ２に配置された状態を示している。
【図６】（ａ）〜（ｅ）は、キャップ２０を構成するキャラクタの各種バリエーションを示す図である。
【図７】図７〜図１０は、実施形態２に係る替芯ケースを説明する図であり、図７は、前側から見たキャップ３０の分解斜視図である。
【図８】後側から見たキャップ３０の分解斜視図である。
【図９】左側方から見たキャップ３０の分解斜視図である。
【図１０】（ａ）は、開閉部材３３が閉位置Ｐ１に配置された状態を前側から見て説明する図であり、（ｂ）は、開閉部材３３が開位置Ｐ２に配置された状態を前側から見て説明する図である。
【図１１】図１１〜図１４は、実施形態３に係る替芯ケースを説明する図であり、図１１は、前側から見たキャップ４０の分解斜視図である。
【図１２】後側から見たキャップ３０の分解斜視図である。
【図１３】左側方から見たキャップ４０の分解斜視図である。
【図１４】（ａ）は、開閉部材４３が閉位置Ｐ１に配置された状態を前側から見て説明する図であり、（ｂ）は、開閉部材４３が開位置Ｐ２に配置された状態を前側から見て説明する図である。
【図１５】図１５〜図１８は、実施形態４に係る替芯ケースを説明する図であり、図１５は、前側から見たキャップ５０の分解斜視図である。
【図１６】後側から見たキャップ５０の分解斜視図である。
【図１７】左側方から見たキャップ５０の分解斜視図である。
【図１８】（ａ）は、開閉部材５３，５４が閉位置Ｐ１に配置された状態を前側から見て説明する図であり、（ｂ）は、開閉部材５３，５４が開位置Ｐ２に配置された状態を前側から見て説明する図である。
【図１９】図１９〜図２２は、実施形態５に係る替芯ケースを説明する図であり、図１９は、前側から見たキャップ５０の分解斜視図である。
【図２０】後側から見たキャップ７０の分解斜視図である。
【図２１】左側方から見たキャップ７０の分解斜視図である。
【図２２】（ａ）は、開閉部材７３が閉位置Ｐ１に配置された状態を前側から見て説明する図であり、（ｂ）は、開閉部材７３が開位置Ｐ２に配置された状態を前側から見て説明する図である。
【符号の説明】
【００７６】
１          替芯ケース
１０        ケース
１１        ケース本体
１２        段部
２０，３０，４０，５０，７０
キャップ
２０ａ，３０ａ，４０ａ，５０ａ，７０ａ
開閉部材収容空間
１０ａ      収納部
１０ｂ      開口部
２１，３１，４１，５１，７１
前キャップ本体（キャップ本体）
２２，３２，４２，５２，７２
後キャップ本体（キャップ本体）
２３，３３，４３，５３，７３
開閉部材
２３ａ，３３ａ，５３ａ，７３ａ
可動部
２３ｂ，３３ｂ，４３ａ，４３ｂ，５３ａ，５４ａ，７３ａ，７３ｂ
操作部
Ａ          窓部
Ｐ１        閉位置
Ｐ２        開位置
Ｓ          芯
【図１】
0003145516.tif 000003
【図２】
0003145516.tif 000004
【図３】
0003145516.tif 000005
【図４】
0003145516.tif 000006
【図５】
0003145516.tif 000007
【図６】
0003145516.tif 000008
【図７】
0003145516.tif 000009
【図８】
0003145516.tif 000010
【図９】
0003145516.tif 000011
【図１０】
0003145516.tif 000012
【図１１】
0003145516.tif 000013
【図１２】
0003145516.tif 000014
【図１３】
0003145516.tif 000015
【図１４】
0003145516.tif 000016
【図１５】
0003145516.tif 000017
【図１６】
0003145516.tif 000018
【図１７】
0003145516.tif 000019
【図１８】
0003145516.tif 000020
【図１９】
0003145516.tif 000021
【図２０】
0003145516.tif 000022
【図２１】
0003145516.tif 000023
【図２２】
0003145516.tif 000024